(57)【要約】【課題】双方向通信インターフェースを用いて接続された機器との間で、録画再生装置や映像表示装置の安定な起動が可能な録画再生装置、映像表示装置及びネットワーク上の機器の起動システム及び起動方法を提供する。【解決手段】実施形態において、映像表示装置は、コマンド供給元とＬＡＮ接続され、起動コマンドを受信して電源がオンになる電源部の起動状態を監視する監視部と、コマンド供給元とＬＡＮ接続され、前記起動コマンドを受信して電源がオンになる電源部に前記起動コマンドが送信されたことを検出し、所定時間経過後に、前記電源部が起動しない場合に、前記電源部に双方向インタフェースによる起動信号を供給する制御部と、を具備する。【選択図】図１
2012080254.tif 000002
【特許請求の範囲】
【請求項１】
コマンド供給元とＬＡＮ接続され、起動コマンドを受信して電源がオンになる電源部の起動状態を監視する監視部と、
コマンド供給元とＬＡＮ接続され、前記起動コマンドを受信して電源がオンになる電源部に前記起動コマンドが送信されたことを検出し、所定時間経過後に、前記電源部が起動しない場合に、前記電源部に双方向インタフェースによる起動信号を供給する制御部と、
を具備する映像表示装置。
【請求項２】
前記コマンド供給元とはＬＡＮケーブルにより接続し、前記起動コマンドを受信する機器とはＨＤＭＩケーブルにより接続する
請求項１記載の映像表示装置。
【請求項３】
前記起動コマンドは、コマンド供給元のオペレーションシステムが定義するマジックパケットを含む
請求項１または２記載の映像表示装置。
【請求項４】
コマンド供給元とＬＡＮ接続され、起動コマンドを受信して電源がオンになる電源部と、
コマンド供給元とＬＡＮ接続され、前記電源部に前記起動コマンドが送信されたことを検出し、所定時間経過後に、前記電源部が起動しない場合に、前記電源部に前記起動コマンドが送信されたことを検出する機器からの双方向インタフェースによる起動信号に従い、前記電源部を起動する制御部と、
を具備する録画再生装置。
【請求項５】
前記コマンド供給元とはＬＡＮケーブルにより接続し、前記検出する機器とはＨＤＭＩケーブルにより接続する
請求項４記載の録画再生装置。
【請求項６】
前記起動コマンドは、コマンド供給元のオペレーションシステムが定義するマジックパケットを含む
請求項４または５記載の録画再生装置。
【請求項７】
ＬＡＮ接続され、コマンド供給元からの起動コマンドを受信して電源がオンになる第１の機器と、
ＬＡＮ接続され、前記コマンド供給元から前記第１の機器への前記起動コマンドの送信を検出し、前記第１の機器の起動を監視するとともに、所定時間内に前記第１の機器の電源がオンしない場合、前記第１の機器とを接続する双方向インタフェースを用いて前記第１の機器を起動する第２の機器と、
を、具備するネットワーク上の機器の起動システム。
【請求項８】
前記第１の機器と前記コマンド供給元及び前記第２の機器と前記コマンド供給元は、それぞれ、ＬＡＮケーブルにより接続し、前記第１の機器と前記２の機器は、ＨＤＭＩケーブルにより接続する
請求項７記載のネットワーク上の機器の起動システム。
【請求項９】
前記起動コマンドは、コマンド供給元のオペレーションシステムが定義するマジックパケットを含む
請求項７または８記載のネットワーク上の機器の起動システム。
【請求項１０】
コマンド供給元とＬＡＮ接続され、起動コマンドを受信して電源がオンになる第１の機器への起動コマンドの送信を、ＬＡＮ接続により検出し、
所定時間を経過後、第１の機器が起動しない場合、第１の機器への起動コマンドの送信を検出する機器から双方向インタフェースにより第１の機器を起動する
ネットワーク上の機器の起動方法。
【発明の詳細な説明】
【技術分野】
【０００１】
本発明の実施の形態は、双方向通信インタフェースにより映像表示装置と接続する録画再生装置及びネットワーク上の機器の起動システム及び起動方法に関する。
【背景技術】
【０００２】
双方向通信インターフェース装置として、ＨＤＭＩ（High-definition Digital Media Interface）が広く利用されている。
【０００３】
また、ＨＤＭＩを用いる接続に加え、ＬＡＮ（Local Area Network）を経由した録画再生装置との映像表示装置の接続により、例えばパーソナルコンピュータ（Personal Computer，ＰＣ）からの録画再生装置が保持するコンテンツすなわち映像及びオーディオ（広く、番組と称される）の再生が可能である。
【０００４】
ＨＤＭＩを用いる接続においても、後に制定されたＣＥＣ（Consumer Electronics Control）規格に続き、ＡＲＣ（Audio Return Channel，バージョン１．４）や、イーサネット（登録商標）／Ethernet（登録商標）を経由した制御信号の受け渡しが可能なＨＥＣ（HDMI Ethernet Channel，バージョン１．４）等が制定されている。
【先行技術文献】
【特許文献】
【０００５】
【特許文献１】特開２００９−２８４１１６号公報
【発明の概要】
【発明が解決しようとする課題】
【０００６】
ＬＡＮ（双方向通信インターフェース）を経由して接続された録画再生装置や映像表示装置のパーソナルコンピュータによる起動及びコンテンツの再生は、現状では、不安定性を含む。すなわち、ＬＡＮを経由して接続した録画再生装置や映像表示装置をパーソナルコンピュータから起動する場合、起動に失敗することがある。
【０００７】
本発明の目的は、双方向通信インターフェースを用いて接続された機器との間で、録画再生装置や映像表示装置の安定な起動が可能な録画再生装置、映像表示装置及びネットワーク上の機器の起動システム及び起動方法を提供することである。
【課題を解決するための手段】
【０００８】
実施形態によれば、映像表示装置は、電源部の状態を監視する監視部と、電源部に双方向インタフェースによる起動信号を供給する制御部と、を具備する。監視部は、コマンド供給元とＬＡＮ接続され、起動コマンドを受信して電源がオンになる電源部の起動状態を監視する。制御部は、コマンド供給元とＬＡＮ接続され、前記起動コマンドを受信して電源がオンになる電源部に前記起動コマンドが送信されたことを検出し、所定時間経過後に、前記電源部が起動しない場合に、前記電源部に双方向インタフェースによる起動信号を供給する。
【図面の簡単な説明】
【０００９】
【図１】実施形態の一例を示す概略図。
【図２】実施形態の一例を示す概略図。
【図３】実施形態の一例を示す概略図。
【図４】実施形態の一例を示す概略図。
【図５】実施形態の一例を示す概略図。
【発明を実施するための形態】
【００１０】
以下、実施の形態について図面を参照して説明する。
【００１１】
図１は、実施形態を適用する録画再生装置及び映像表示装置と、ネットワークを介して接続する機器の接続の一例を示す。また、同接続は、家庭内や小規模事業所等が代表する閉じたネットワーク（Local Area Network，以下ＬＡＮと称する）内において、例えばパーソナルコンピュータ（Personal Computer，以下ＰＣと称する）１１１と録画再生装置（レコーダ）１２１及び映像表示装置（テレビジョン受信装置，以下ＴＶ装置と称する）１３１を、ルータ（Router）あるいはサーバ（Server）１０１により接続する例を示す。なお、以下に説明する各要素／構成は、ハードウエアで実現するものであってもよいし、マイクロコンピュータ（処理装置，ＣＰＵ）等を用いてソフトウエアで実現するものであってもよい。
【００１２】
図１が示すネットワークにおいて、ＬＡＮケーブルによりルータ（サーバ）１０１と接続されたＰＣ１１１は、ルータ１０１とＬＡＮケーブルで接続された録画再生装置１２１に、所定の制御信号、例えばＰＣ１１１のＯＳ（Operation System，オペレーションシステム）において規定されているマジックパケット（Magic packet）、すなわちＷＯＬ（Wake On LAN）を実現するコマンドを供給できる。なお、図１に示す接続においては、上述の通り、ルータ１０１は、ＬＡＮケーブルによりＴＶ装置１３１と接続されている。また、レコーダ１２１がＨＤＭＩ（High-definition Digital Media Interface）−ＣＥＣ（Consumer Electronics Control）に準拠したＨＤＭＩケーブルにより接続されている。なお、レコーダ１２１は、ＴＶ装置１３１とＨＤＭＩケーブルで接続された外部チューナー装置、例えばＳＴＢ（Set Top Box，セットトップボックス）１４１と接続されている。従って、ＳＴＢ１４１が選択したチャンネルあるいは外部入力が供給するコンテンツすなわち番組（映像及びオーディオ／音声）を、ＴＶ装置１３１の画面に表示した状態で、予め録画先として指定したレコーダ１２１に録画予約が可能である。また、ＰＣ１１１からレコーダ１２１を起動（電源をオン）して、レコーダ１２１が受信可能なコンテンツを録画することができる。
【００１３】
ＰＣ１１１は、一例ではあるが、ＭＰＵ（主制御装置）１１２、Ｉ／Ｏ（入出力部）１１３、ディスプレイ（表示部）１１４、キーボード（Key board）１１５、等を含む。また、少なくとも１つのＬＡＮポート［１］及びＬＡＮポート［２］を含む。なお、ＷＯＬ（Wake On LAN）機能を有する機器に対して、ＯＳ（Operation System）に固有のマジックパケットを送信し、対象の機器の電源をオンできる。
【００１４】
レコーダ１２１は、一例ではあるが、映像信号及びオーディオ信号すなわち入力信号を受け付ける入力部（チューナ部）１２２、入力信号を記憶するためのエンコードと記憶されている信号をデコードする信号処理部１２３、レコーダ１２１の各部の動作を制御する制御部１２４、電源部１２５、記憶されている信号を、例えばモニタ装置及びオーディオ出力（ＡＶアンプ）に出力する出力部１２８、及びエンコードされた映像信号及びオーディオ信号を記憶する記憶装置１２９、等を含む。
【００１５】
なお、電源部１２５は、ＰＣ１１１のＯＳ（Operation System）に固有のマジックパケットを受信した場合、ＷＯＬ（Wake On LAN）により、レコーダ１２１の電源をオンできる。また、記憶装置１２９としては、例えばＨＤＤ（ハードディスク装置）、光ディスクへの書き込みと（映像及びオーディオが記憶されている）光ディスクからの読み出しが可能な光ディスクドライブ、ＳＤ（Secure Digital）カード等に代表される半導体メモリ、等の少なくとも１つを含む。また、少なくとも１つのＨＤＭＩポート［２］と少なくとも１つのＬＡＮポート［３］及びＬＡＮポート［４］を含む。
【００１６】
ＴＶ装置１３１は、一例ではあるが、映像信号及びオーディオ信号すなわち入力信号を受け付ける入力部（チューナ部）１３２、入力信号から映像及びオーディオ（音声）を分離し、音声（オーディオ）についてはアナログ信号化等に利用される信号処理部１３３、ＴＶ装置１３１の各部の動作を制御する制御部１３４、電源部１３５、映像を表示するモニタ装置１３６、アナログ信号化されたオーディオを再生する再生装置１３７、等を含む。なお、少なくとも１つのＨＤＭＩポート［３］と少なくとも１つのＬＡＮポート［５］を含む。また、制御部１３４は、ＨＤＭＩ−ＣＥＣにより、レコーダ１２１の電源状態を把握できる。
【００１７】
ＳＴＢ１４１は、一例ではあるが、映像信号及びオーディオ信号すなわち入力信号を受け付ける入力部（チューナ部）１４２、入力信号から映像及びオーディオ（音声）を分離し、音声（オーディオ）についてはアナログ信号化等に利用される信号処理部１４３、装置の各部の動作を制御する制御部１４４、等を含む。なお、少なくとも１つのＨＤＭＩポート［４］と少なくとも１つのＬＡＮポート［６］を含む。また、ＬＡＮ接続された機器（レコーダ）に対して、録画予約、等を設定できる。
【００１８】
しかしながら、図１に示した接続においては、ＰＣ１１１からルータ１０１を経由してレコーダ１２１にコンテンツの録画すなわちレコーダ１２１の起動を指示した場合、何らかの理由で、レコーダ１２１の起動に失敗することがある（レコーダ１２１が起動しない場合がある）。すなわち、マジックパケットの送信エラーや、レコーダ１２１側でのマジックパケットの受信エラー、等に起因してＷＯＬ機能が機能しないことがある。
【００１９】
一方で、ＴＶ装置１３１は、ＨＤＭＩケーブル［Ａ］により接続されているレコーダ１２１のＭＡＣ（Media Access Control）アドレス（Address）を、ＨＤＭＩ−ＣＥＣの機能により取得している。
【００２０】
従って、ＴＶ装置１３１は、ＰＣ１１１が、レコーダ１２１を電源オンするためのマジックパケットを送信した場合、（ＰＣ１１１から）ＴＶ装置１３１に対してもＬＡＮ接続（ブロードキャスト）で送られてくるマジックパケットを保持することにより、レコーダ１２１の電源がオンになることを認識できる。
【００２１】
このような接続環境において、ＴＶ装置１３１は、レコーダ１２１の電源がオンされることを、ＨＤＭＩ−ＣＥＣの機能により、ポーリングにより検出する（ＴＶ装置１３１は、レコーダ１２１の電源状態をポーリングしている）。
【００２２】
従って、ＴＶ装置１３１は、一定期間、レコーダ１２１の電源状態をポーリングしてもレコーダ１２１が電源オンしない場合、例えばＨＤＭＩ−ＨＥＣ（HDMI Ethernet Channel）により、ＬＡＮ端子が動作していない、あるいはＬＡＮ端子の電源が入っていない、もしくはＬＡＮケーブルが切断状態である（抜けている）等、を検出できる。
【００２３】
上述したような、ＰＣ（外部装置）１１１から、ＬＡＮ接続を用いるＷＯＬによる起動が指示されたレコーダ１２１が起動しないことを検出した場合、ＴＶ装置１３１は、ＨＤＭＩケーブルにより接続されているレコーダ１２１の電源を、ＨＤＭＩ−ＣＥＣの機能を用いて、オンすることができる。
【００２４】
すなわち、図２に概要を示すが、レコーダ１２１に、ＰＣ１１１からマジックパケットが送信され［００１］、ＴＶ装置１３１が、ＬＡＮ接続により、マジックパケットの送信があったことを検出する［００２］。
【００２５】
以下、ＴＶ装置１３１が、レコーダ１２１の電源がオンになることを、ポーリング［００３］によりチェックし、任意回数（タイムアウトまで）の間、レコーダ１２１の電源がオンになったことが通知されない場合［００４−ＹＥＳ］、ＴＶ装置１３１からレコーダ１２１へ、ＨＤＭＩケーブル［Ａ］を通じ、ＨＤＭＩ−ＣＥＣの機能により、レコーダ１２１の電源をオンする［００５］。
【００２６】
以上により、パーソナルコンピュータ（ＰＣ）１１１からマジックパケットを送信してレコーダ１２１の電源をオンさせようとして、レコーダ１２１が電源オンしなかった場合でも、レコーダ１２１の電源をオンすることができる。
【００２７】
なお、レコーダ１２１を起動する（電源をオンする）機器がＳＴＢ１４１である場合も同様に、ＳＴＢ１４１が取得した番組表に従い、レコーダ１２１に対して録画予約を設定する場合についても、（ＳＴＢ１４１が）レコーダ１２１の起動（電源オン）に失敗した場合、ＴＶ装置１３１からＨＤＭＩ−ＣＥＣによりレコーダ１２１を起動し、レコーダ１２１に録画予約を登録することができる。
【００２８】
より詳細には、図３に示すように、ＰＣ１１１からレコーダ１２１にマジックパケットの送信［０１］があると、ＴＶ装置１３１が、ＬＡＮケーブル［３］によるＬＡＮ接続により、（マジックパケットの送信）［０１］があったことを検出する［０２］。
【００２９】
以下、ＴＶ装置１３１は、レコーダ１２１の電源がオンになることを、ポーリングにより、チェックする［０３］。
【００３０】
ここで、ポーリング［０３］に対して、レコーダ１２１の電源がオンになったことが通知されない場合、任意回数（タイムアウトまで）の間、ＴＶ装置１３１からレコーダ１２１へ、ポーリング［０Ｘ］が繰り返される。ポーリング［０Ｘ］が所定回数繰り返され、ポーリング［０Ｙ］に達した時点で、レコーダ１２１からの起動信号が未達である（レコーダ１２１のＷＯＬが機能しなかった）ことがチェックされる。
【００３１】
この場合、ＴＶ装置１３１が、ＨＤＭＩケーブル［Ａ］を通じ、ＨＤＭＩ−ＣＥＣの機能により、レコーダ１２１の電源をオンする［０Ｚ］。
【００３２】
以上により、パーソナルコンピュータ（ＰＣ）１１１からマジックパケットを送信してレコーダ１２１の電源をオンさせようとして、レコーダ１２１が電源オンしなかった場合でも、レコーダ１２１の電源をオンすることができる。
【００３３】
なお、図４及び図５は、図１に示した録画再生装置（レコーダ）とＴＶ装置に利用可能な構成の一例を示す。
【００３４】
レコーダ４０１は、チューナ４０２、入力回路４０３、ＤＳＰ（デジタルシグナルプロセッサ）４０４、記録装置４０５、出力回路４０６、ユーザー操作入力部（リモコン信号受信回路）４０７、電源部４０８、及びＨＤＭＩインタフェース４０９（図１に示したＨＤＭＩポート［２］に相当）を少なくとも含む。
【００３５】
チューナ４０２は、アンテナ端子４２１に接続されるアンテナまたは光ケーブル等を介して、録画対象の番組を放送するチャンネルを選局する。
【００３６】
入力端子４０３は、ビデオ（viedo）入力端４３１およびオーディオ（audio）入力端４３２を経由して入力されるビデオ（動画）信号およびオーディオ（音声）信号を、受けつける。
【００３７】
ＤＳＰ４０４は、主制御装置（ＣＰＵ）４４０、ネットワークコントローラ４４１、アナログ−デジタルコンバータ（ＡＤＣ）４４２、エンコーダ４４３、インタフェース４４４、デコーダ４４５、ユーザインタフェースグラフィック処理部（ＧＵＩ処理部）４４６、ビデオエンコーダ（ビデオ出力処理部）４４７、デジタル−アナログコンバータ（オーディオデコーダ（ＤＡＣ））４４８、ＥＰＧ（Electric Program Guide）処理部４４９等の要素を、少なくとも含む。なお、インタフェース４４４に、上述のＨＤＭＩ４０９が接続されるが、ＨＤＭＩ４０９は、ネットワークコントローラ４４１に接続されてもよい。
【００３８】
主制御装置（ＣＰＵ）４４０は、上述した各要素の動作、および電源部４０８の主電源（内部制御用２次回路を除く）のオン／オフを制御する。
【００３９】
ネットワークコントローラ４４１は、ＬＡＮ端子４９１を経由して、外部ネットワークから供給されるストリーム形式の番組を受信する。なお、ＬＡＮ端子４９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００４０】
アナログ−デジタルコンバータ（ＡＤＣ）４４２、アナログ入力されたビデオ信号およびオーディオ信号をデジタル信号に変換し、エンコーダ４４３に入力する。なお、チューナ４０２がデジタル放送を受信する場合には、チューナ４０２の出力は、そのままエンコーダ４４３に入力されることはいうまでもない。
【００４１】
エンコーダ４４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ）等に準拠した圧縮を伴う。
【００４２】
インタフェース４４４は、記録装置５との間のデータの受け渡し、あるいはリモコン信号受光回路４０７からの制御信号の入力に利用される。ＨＤＭＩ４０９には、ＨＤＭＩ端子４８１を介して、例えば図５に一例を示すテレビ受信装置（映像再生装置）５０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子４８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００４３】
デコーダ６４５は、ＭＰＥＧ−２あるいはＭＰＥＧ−４（Ｈ．２６４−ＡＶＣ）等に圧縮された番組を、デコードする。
【００４４】
ユーザインタフェースグラフィック処理部（ＧＵＩ処理部）４４６は、出力回路４０６を経由して映像出力端４６１とオーディオ出力端４６２に接続されるモニタ装置４６３に表示させるＧＵＩ（グラフィックインタフェース）画面表示を出力する。
【００４５】
ビデオエンコーダ（ビデオ出力処理部）４４７は、映像信号とＧＵＩ処理部４４６から出力されるＧＵＩ画面表示を必要に応じ合成し、映像出力端４６１に接続されるモニタ装置４６３が表示可能に、出力回路４０６に、出力映像信号を生成する。
【００４６】
デジタル−アナログコンバータ（オーディオデコーダ（ＤＡＣ））４４８は、出力回路４０６に、オーディオ出力端４６２に接続される外部スピーカ等が再生可能に、オーディオ信号を出力する。
【００４７】
ＥＰＧ処理部４４９は、例えばＢＳデジタル放送または地上デジタル放送において番組とともに送信されるＥＰＧデータもしくはＬＡＮ端子４９１を経由して外部から取得可能なＥＰＧデータを取得し、例えばＧＵＩ処理部４４６において番組の予約時に番組表を表示させるための日付、時間、チャンネル、番組長データとして保持する。なお、取得したＥＰＧデータは、図示しないメモリ装置あるいはＨＤＤ４５１の所定の領域に保存される。
【００４８】
記録装置４０５は、例えばＨＤＤ４５１またはディスクドライブ装置４５２を含み、ＨＤＤ４５１内のＨＤあるいはディスクドライブ装置４５２にセットされるＤＶＤ規格の光ディスクＤに対して番組を記録し、もしくは既に記録されている番組を再生する。なお、ディスクドライブ装置４５２に加え、例えば半導体メモリ（メモリカード）等に番組を記録し、あるいは既に記録されている番組を再生するリーダ／ライタ（図示しない）が用意されてもよい。
【００４９】
出力回路４０６は、映像出力端４６１およびオーディオ出力端４６２に接続される再生装置、例えばモニタ装置とスピーカ装置に、ビデオエンコーダ４４７からの映像信号とＤＡＣ４４８からのオーディオ信号を出力する。
【００５０】
リモコン信号受光回路４０７は、リモコン受光部４７１において受け付けたユーザ操作入力を、インタフェース４４４を経由して、主制御装置４４０に入力する。
【００５１】
電源部４０８は、主制御装置４４０の制御により主電源がオフ可能であり、図示しないタイマ部にセットされた予約時間が到来した時点で主電源をオンし、上述した各要素の動作を、動作可能状態に維持する。
【００５２】
図５は、図１に示した映像表示装置に利用可能なテレビ装置の構成の一例を示す。
【００５３】
テレビ受信装置５１１は、映像信号（ビデオデータ）に対応する映像を表示する映像表示器５１３、例えばスピーカ等に代表される音声再生装置であって、音声出力（オーディオデータ）を再生する音声再生器５１５、ユーザーからの制御指示（制御入力）信号を受け入れる操作部５１７、ユーザーからのリモコン装置Ｒによる操作情報（制御入力）信号を受けつけるリモコン受信部５１９、および制御ブロック（制御部）５６０等を含む。なお、映像表示器（ディスプレイ装置）５１３は、例えば液晶パネル装置であって、付属する照明装置５２５からの照明光（バックライト）を選択的に透過することにより、映像を表示する。また、照明装置５２５は、点灯回路５２７により、周囲の明るさや、連続して点灯されている時間と非点灯時間との差すなわち照明装置５２５の温度に基づいて規定される所定の駆動電圧で点灯される。
【００５４】
制御部５６０は、ＣＰＵまたはＭＰＵ（Main Processing Unit）とよばれる主制御装置（主制御用大規模ＩＣ（ＬＳＩ））５６１を、含む。
【００５５】
制御部５６０（主制御装置５６１）は、操作部５１７からの操作入力、またはリモコン装置Ｒから送出された操作情報を受信部５１９により受信した（リモコン入力）制御信号、もしくはネットワーク接続部（通信インタフェース）５７３を介して外部から供給される情報およびデータに対応して、以下に説明する各部（要素）を、制御する。
【００５６】
制御部５６０はまた、主制御装置５６１が実行する制御プログラムを保持したＲＯＭ５６２、主制御装置５６１の作業エリアを提供するＲＡＭ５６３、各種の設定情報や制御情報あるいはネットワーク接続部５７３を介して外部から供給される情報および録画予約情報などのデータ等を保持する不揮発性メモリ（ＮＶＭ）５６４、およびＨＤＤ５６５を、含む。
【００５７】
なお、ＮＶＭ５６４は、ネットワーク接続部５７３を経由して取り込まれ、制御部５６０を経由してメッセージや解読されたスケジュール情報等も保持する。
【００５８】
制御部５６０には、半導体メモリであるカード状媒体（メモリカード）Ｍからの情報の読み出しとメモリカードＭへの情報の書き込みを可能とするカード＿ＩＦ５７１、ネットワーク接続部（通信＿ＩＦ）５７３、ＨＤＭＩ５７４（図１のＨＤＭＩポート［１］に相当）、光ディスクＤからの情報すなわち動画データやオーディオ（音声）データの読み出しと光ディスクへの情報の書き込みに用いられるディスクドライブ装置５７５、ＵＳＢ＿Ｉ／Ｆ、およびｉ．Ｌｉｎｋ＿Ｉ／Ｆ（インタフェース）５７７等の任意数のＩ／Ｆ（Interface，インタフェース）群が接続され、それぞれのインタフェースに適合する外部装置、あるいはハブ（拡張装置）もしくはネットワーク制御装置として機能する。
【００５９】
カード＿Ｉ／Ｆ５７１は、カードホルダ５７２に装着されるメモリカードＭから、映像および音声ファイルを読み込むことができ、また、メモリカードＭに、映像および音声ファイルを書き込むことができる。
【００６０】
通信＿Ｉ／Ｆ５７３は、ＬＡＮ端子（ポート）５８１と接続され、イーサネット規格に従い、外部装置、例えば図示しないが携帯端末装置やモバイルＰＣを介して、あるいはリモコン装置から供給される制御情報や動画データを受け入れる。なお、通信＿Ｉ／Ｆ５７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内臓のＤＶＤレコーダ等の機器の接続が可能である。
【００６１】
ＨＤＭＩ５７４には、ＨＤＭＩ端子５８２を介して、例えば図４に一例を示したレコーダ（映像再生装置）４０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子５８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００６２】
ディスクドライブ装置５７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器５１３に表示可能に出力する。
【００６３】
ＵＳＢ＿Ｉ／Ｆ５７６は、ＵＳＢポート５８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ５７６に対応する携帯電話、デジタルカメラ、メモリカードに対するカードリーダ／ライタも接続可能であることはいうまでもない。
【００６４】
ｉ．Ｌｉｎｋ＿Ｉ／Ｆ５７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００６５】
なお、詳述しないが、個々のインタフェースに加えて、もしくは任意の１または複数のインタフェースに代えて、例えばＤＬＮＡ（Digital Living Network Alliance（登録商標））規格等に準拠したネットワークコントローラや、図示しないBluetooth（登録商標）（ブルートゥース（登録商標））が用意され、それらを経由して、データの受け渡しが可能なレコーダ装置やＨＤＤ装置、もしくは携帯可能な端末装置が接続されてもよいことはいうまでもない。
【００６６】
制御部５６０は、タイマーコントローラ（時計部）５９０を含む。時計部５９０は、時刻や、ユーザーからの入力により設定される予約録画のための予約時刻（日時）と録画対象チャンネル等の情報を管理するとともに、その情報を保持可能である。なお、時計部５９０は、地上波デジタルチューナ５５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ５５２により受信するアナログアナログ放送の所定のチャンネルからも、毎日、所定の時間に時報を取得可能であることはいうまでもない。また、時計部５９０は、携帯端末装置から供給されるスケジューラ機能やメッセンジャ機能のための情報に対する計時部としても機能する。なお、時計部５９０は、スケジューラ機能およびメッセンジャ機能により規定される所定の時刻において、電源部５９１による、商用電源に対する電源のオン／オフ（通電）を制御できることはいうまでもない。すなわち、コンセントが抜かれている等の物理的に通電が困難な状況下以外においては、映像表示器５１３や信号処理部５４７あるいはＨＤＤ等の電力消費の比較的大きな要素を除く、制御部５６０等への２次電源（ＤＣ（直流）３１Ｖ、あるいは２４Ｖもしくは５Ｖ等）は、通常確保されており、予め規定された時刻に映像表示器５１３や信号処理部５４７あるいはＨＤＤ５６５等が起動されることは、いうまでもない。
【００６７】
以上説明した通り、本提案により、マジックパケットを送信して電源オンさせようとしたところ、何らかの理由で電源オンしなかった場合でも、ＨＤＭＩケーブルで接続している機器が電源状態を監視し、ＨＤＭＩ−ＣＥＣを用いて電源オンすることができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１０１…ルーター（サーバー）、１１１…ＰＣ（パーソナルコンピュータ）、１２１…レコーダ（録画再生装置）、１３１…ＴＶ装置（映像表示装置）。
【図１】
2012080254.tif 000003
【図２】
2012080254.tif 000004
【図３】
2012080254.tif 000005
【図４】
2012080254.tif 000006
【図５】
2012080254.tif 000007